(57)【要約】【課題】器具本体に光源ユニットを装着する際の作業性が良く、かつ小型化が可能な照明装置を提供する。【解決手段】実施形態の照明装置は、引掛部を有しており第１部材に配設される第１の係合装置を有する。また、係合部と軸部とを有する係合部材を有し係合部材が第２部材に回動可能に配設される第２の係合装置も有する。第２の係合装置は、係合部が第２部材の中心に近づく方向に回動することで第１の係合装置の引掛部と第２の係合装置の係合部が係合し、その係合した状態で第１部材と第２部材が着脱可能に固定される。さらに、第１部材または第２部材に配設される半導体発光素子を有した発光モジュールを備えている。【選択図】図１
2020053200.tif 000002
【特許請求の範囲】
【請求項１】
引掛部を有し第１部材に配設される第１の係合装置と、
前記引掛部と係合する係合部と軸部とを有する係合部材を有し
前記係合部材が第２部材に回動可能に配設され
前記係合部が前記第２部材の中心に近づく方向に前記係合部材が回動することで前記引掛部と前記係合部が係合した状態で前記第１部材と前記第２部材を着脱可能に固定する第２の係合装置と、
前記第１部材または前記第２部材に配設される半導体発光素子を有した発光モジュールと、
を備えていることを特徴とする、照明装置
【請求項２】
前記第２の係合装置の係合部は、
前記第２部材の中心から離間する方向に回動した際に、前記第２部材の外縁部から突出することを特徴とする請求項１記載の照明装置
【請求項３】
前記第２の係合装置はバネ性を有しており、
前記第１の係合装置と弾性係合することを特徴とする請求項１または２記載の照明装置
【請求項４】
取付面に取り付けられる第１部材と、
引掛部を有し前記第１部材の取付面に取り付けられる面とは反対側の面に配設された
第１の係合装置とを備える装置本体と、
半導体発光素子を有した発光モジュールが取り付けられる第２部材と、
前記引掛部と係合する係合部と軸部とを有する係合部材を有し
前記第２部材の前記発光モジュールが取り付けられる面とは反対側の面に前記係合部材が回動可能に配設され
前記係合部が前記第２部材の中心に近づく方向に前記係合部材が回動することで前記引掛部と前記係合部が係合した状態で前記第１部材と前記第２部材を着脱可能に固定する第２の係合装置とを備える光源ユニットと
を具備することを特徴とする照明装置
【発明の詳細な説明】
【技術分野】
【０００１】
本発明の実施形態は、照明装置に関する。
【背景技術】
【０００２】
従来、例えば、照明装置では、器具本体と光源ユニットを着脱可能に装着するのにばね装置が用いられている。
【０００３】
このようなばね装置には、トーションばねが多く用いられている。
【０００４】
また照明装置では、器具本体または光源ユニット上に対向するように一対もしくは二対のばね装置を含む取付装置が配設されることが多いが、異なる機構の取付装置が一つの照明装置に配設されるものも存在する。その場合、取付装置毎に着脱作業が異なってくることから作業が煩雑になるという問題がある。
【先行技術文献】
【特許文献】
【０００５】
【特許文献１】特開２０１６−２１２９５４号公報
【発明の概要】
【発明が解決しようとする課題】
【０００６】
本発明は、器具本体と光源ユニットとを係合する際の作業性が良く、かつ小型化が可能な照明装置を提供することである。
【課題を解決するための手段】
【０００７】
実施形態の照明装置は、引掛部を有しており第１部材に配設される第１の係合装置を有する。また、係合部と軸部とを有する係合部材を有し係合部材が第２部材に回動可能に配設される第２の係合装置も有する。第２の係合装置は、係合部が第２部材の中心に近づく方向に回動することで第１の係合装置の引掛部と第２の係合装置の係合部が係合し、その係合した状態で第１部材と第２部材が着脱可能に固定される。さらに、第１部材または第２部材に配設される半導体発光素子を有した発光モジュールを備えている。
【発明の効果】
【０００８】
実施形態によれば、器具本体と光源ユニットとを係合する際の作業性が良く、かつ照明装置の小型化が可能である。
【図面の簡単な説明】
【０００９】
【図１】一実施形態を示す照明装置の器具本体および光源ユニットの分解状態の斜視図である。
【図２】同上照明装置の器具本体および光源ユニットの取付状態の斜視図である。
【図３】同上照明装置のばね装置を含む取付装置の斜視図である。
【図４】同上ばね装置の線ばねと押え部材との関係を示す側面図である。
【図５】同上ばね装置の中立位置の線ばねおよび軸受部材を図４矢視Ａから見た正面図である。
【図６】同上ばね装置の線ばねの正面図である。
【図７】同上ばね装置の平面図である。
【図８】同上取付装置のばね受の正面図である。
【図９】同上光源ユニットの線ばねが中立位置にある状態の斜視図である。
【図１０】同上光源ユニットの線ばねが展開位置にある状態の斜視図である。
【図１１】同上光源ユニットの線ばねが折畳回動方向に回動する状態の斜視図である。
【図１２】同上光源ユニットの線ばねが装着固定位置にある状態の斜視図である。
【図１３】同上光源ユニットの片側吊下げ状態の斜視図である。
【図１４】同上光源ユニットの片側吊下げ状態の断面図である。
【図１５】同上光源ユニットの両側吊下げ状態の斜視図である。
【図１６】同上光源ユニットの片側押上げ状態の断面図である。
【図１７】同上光源ユニットの他の片側押上げ状態の断面図である。
【図１８】同上光源ユニットの他の片側押上げ状態の断面図である。
【図１９】同上光源ユニットの装着状態の断面図である。
【発明を実施するための形態】
【００１０】
以下、一実施形態を、図面を参照して説明する。なお、本実施形態での説明において上下方向は照明装置10を天井に設置した場合の方向で示しているが、設置面は天井に限定するものではなく壁面など天井以外の設置面に設置されても良い。
【００１１】
図１および図２に照明装置10を示す。照明装置10は、例えば天井直付形照明器具である。照明装置10は、例えば天井面などの設置面に設置される器具本体11、この器具本体11に着脱可能に装着される光源ユニット12、および器具本体11と光源ユニット12とを互いに着脱可能に取り付ける取付装置13を備えている。照明装置10は、四角形の外形状に形成されている。本実施形態では、照明装置10は、例えば縦横４００mmの正方形の外形状に形成されている。
【００１２】
そして、器具本体11は、例えば１枚の金属板をプレス加工して一体に形成されている。器具本体11は、板状の第１部材である四角形状の天面部15、この天面部15の周辺部から下方に折曲された側面部16、およびこの側面部16から外側方に向けて断面略Ｌ字形に折曲された嵌合突部17を備えている。天面部15には、設置用の取付孔18や、配線孔19などが形成されている。この取付孔18を用いて天井や壁面などの取り付け面にねじ止め、あるいは取り付け面に配設された配線器具に取り付け、取り付け面に配設された引っ掛け部材に引っ掛け、などの方法で天面部15の上面が取り付け面に取り付けられる。
【００１３】
器具本体11には、電源ユニット21および端子台22などが配設されている。電源ユニット21は、天面部15の内面である下面（一方の面）で、器具本体11の対向する２辺に沿って配設されている。この位置に電源ユニット21を配設することで電源ユニット21が天面部15の補強材の役目を果たし、何らかの外力で天面部15が電源ユニット21の長手方向にゆがむことを抑制することができる。また、電源ユニット21の点灯電源出力部からは光源ユニット12側との接続用のコネクタ付ケーブルが引き出されている。そして、電源ユニット21は、外部電源や調光信号などを入力し、調光信号に基づいて外部電源を所定の点灯電源に変換して出力する。また、端子台22は、例えば電源用と信号用の２つが用いられ、天面部15の下面で配線孔19の近傍に配設されている。端子台22と電源ユニット21の電源入力部および信号入力部とが内部配線で電気的に接続されている。端子台22には、器具本体11の設置時に、配線孔19から引き込まれる外部電源供給用の電源線や信号線が接続される。
【００１４】
また、光源ユニット12は、板状の第2部材であるベースプレート25、このベースプレート25の下面である一方の面とは反対側の他方の面に取り付けられる発光モジュール26、およびこの発光モジュール26を覆ってベースプレート25に取り付けられる透光カバー27を備えている。
【００１５】
ベースプレート25は、例えば１枚の金属板をプレス加工して一体に形成され、器具本体11の天面部15に対向するように配設される。ベースプレート25は、四角形状のプレート部29、およびこのプレート部29の周辺部から上方に折曲された嵌合枠部30を備えている。嵌合枠部30は、器具本体11の嵌合突部17の周囲に嵌合可能としている。プレート部29の周辺部には、複数の溝部31が形成されている。各溝部31の縁には、嵌合枠部30に対して透光カバー27をかしめ結合するためのかしめ片32が設けられている。
【００１６】
発光モジュール26は、四角形状の基板33、およびこの基板33の表面側に実装された複数の発光素子（半導体発光素子）34（図１６参照）を備えている。基板33の裏面側をベースプレート25に熱的に接続された状態でベースプレート25の他方の面に取り付けられる。発光モジュール26には給電用のコネクタ付ケーブルが接続されている。このコネクタ付ケーブルは、ベースプレート25の溝部31あるいはベースプレート25に別途設けられる配線孔を通じて、ベースプレート25から引き出され、電源ユニット21から引き出されているコネクタ付ケーブルとコネクタ接続される。
【００１７】
透光カバー27は、光透過性を有し、さらに光拡散性を有していてもよい。透光カバー27は、四角形状の下面部35、およびこの下面部35の周辺部から上方に突出する側面部36を有している。側面部36の上端側がベースプレート25の嵌合枠部30に図示しないパッキングを介して嵌合され、複数のかしめ片32によってベースプレート25と透光カバー27とが一体に結合されている。
【００１８】
次に、図１および図３に示すように、取付装置13は、器具本体11の天面部15の一方の面上に取り付けられる第１の係合装置であるばね受41は引掛部75を備え、さらに光源ユニット12のベースプレート25の一方の面上に取り付けられる第２の係合装置であるばね装置40は係合部である中間にフック部49および軸部51を備えている。取付装置13は、１つのばね装置40と１つのばね受41とを１組として、２組用いられている。２組の取付装置13は、２つの電源ユニット21が配置される器具本体11の対向する２辺の位置に対して異なる方向の対向する２辺の位置に対応して配設されている。
【００１９】
そして、ばね装置40は、係合部材である線ばね44、軸受部材45、および押え部材46を備えている。
【００２０】
図３ないし図６に示すように、線ばね44は、例えば金属のばね材料によって形成された線材を曲げ加工して形成されている。ばね材料としては、例えばステンレスが用いられている。線ばね44は、係合部である中間のフック部49、このフック部49の両端部から互いに略平行に対向するように折曲された一対のアーム部50、およびこれらアーム部50の端部からそれぞれ外側に向けて折曲された一対の軸部51を有している。
【００２１】
フック部49は、略直線状に形成され、その両端から一対のアーム部50が折曲されている。
【００２２】
一対のアーム部50は、先端側に設けられたアームガイド部50a、基端側に設けられたアーム直線部50b、アームガイド部50aとアーム直線部50bとを接続するアーム接続部50c、およびアーム直線部50bとアーム接続部50cとの間でアームガイド部50aよりも基端側に設けられたアーム当接部50dを有している。アームガイド部50aは、図１などに示すように光源ユニット12の内側に向けて折り畳まれる状態で、ベースプレート25の上方に向けて突出する凸湾曲状に形成されている。アーム当接部50dは、アーム直線部50bとアーム接続部50cとの折曲部で構成されている。
【００２３】
一対の軸部51は、一対のアーム部50の端部から相反する外側に向けて折曲されている。一対の軸部51は、一対のアーム部50に対して例えば略直角折曲されている。なお、一対の軸部51は、一対のアーム部50に対して鈍角に折曲されていてもよい。
【００２４】
また、図３ないし図５に示すように、軸受部材45は、１枚の金属板を曲げ加工して一体に形成されている。軸受部材45は、ベースプレート25に取り付けられる取付部54、この取付部54から立ち上げられた立上げ部55、この立上げ部55の幅方向の両側部から取付部54に対向するように折曲された一対の支持部56、およびこれら一対の支持部56の先端に設けられた一対の軸受部57を有している。一対の軸受部57は、支持部56の先端部が筒状に湾曲されることによって形成されている。一対の軸受部57の相対する内端側から線ばね44の一対の軸部51が挿入されている。一対の軸受部57により、線ばね44の一対の軸部51を回動可能に軸受している。
【００２５】
一対の軸受部57の軸心ａは、一対の軸受部57の相対する端部間を結ぶ仮想中心軸ｂに対して同一方向に対称的に傾いている。一対の軸受部57の軸心ａが傾く方向は、線ばね44の一対のアーム部50が光源ユニット12の上面に平行となる基準位置P0を０°とした場合の角度βが９０°以上であって、好ましくは９０〜１２０°の範囲の方向である。本実施形態では、一対の軸受部57の軸心ａが傾く方向は、例えば角度βが１２０°となる方向とする。また、一対の軸受部57の軸心ａが仮想中心線ｂに対して傾く角度αは、１０°前後が好ましい。
【００２６】
そして、図４および図５（中立位置P3の線ばね44および軸受部材45を図４矢視Ａから見た正面図）に示すように、軸受部材45に軸受された線ばね44は、仮想中心軸ｂを中心として回動可能とする。従って、仮想中心軸ｂは、線ばね44が回動する回動軸である。さらに、軸受部材45に軸受された線ばね44は、仮想中心軸ｂの軸方向から見て一対の軸受部57の軸心ａと線ばね44の一対のアーム部50とが重なる中立位置P3において、一対のアーム部50の間隔が変化するように最も弾性変形した状態にある。すなわち、線ばね44自体は、一対の軸部51が一対のアーム部50に対して例えば直角または鈍角に折曲されているのに対して、軸受部材45の一対の軸受部57により一対の軸部51が角度αずつ同一方向に対称的に傾けられることにより、一対のアーム部50の間隔が狭まるように線ばね44の全体が最も弾性変形した状態にある。
【００２７】
そのため、線ばね44は、仮想中心軸ｂの軸方向から見て一対の軸受部57の軸心ａと線ばね44の一対のアーム部50とが重なる中立位置P3を境として、弾性変形の反発力により回動方向の一方であって光源ユニット12の外側つまりばね装置40が取り付けられている板状の第2部材であるベースプレート25の中心とは離間する方向に開く展開回動方向F1と、回動方向の他方であって光源ユニット12の内側つまりばね装置40が取り付けられている板状の第2部材であるベースプレート25の中心に近づく方向に折り畳まれる折畳回動方向F2とのそれぞれに向けて回動力が生じる。すなわち、一対の軸受部57によって線ばね44の一対の軸部51が仮想中心軸ｂに対して傾けられる角度は、一対のアーム部50が中立位置P3に位置するときが最も大きく、一対のアーム部50が中立位置P3よりも展開回動方向F1または折畳回動方向F2に向かって回動するのに従って小さくなっていき、中立位置P3に対して９０°方向が最も小さくなる。そのため、一対のアーム部50が中立位置P3よりも展開回動方向F1または折畳回動方向F2に少しでも回動操作すると、線ばね44の弾性変形に対して元に戻ろうとする反発力である弾性力により、展開回動方向F1または折畳回動方向F2に向けて回動力が生じる。なお、線ばね44の一対の軸部51が一対のアーム部50に対して鈍角に折曲されている場合には、線ばね44の弾性変形が大きくなるため、より強い回動力が生じる。
【００２８】
また、図３および図７に示すように、押え部材46は、一方向である折畳回動方向F2に向けて回動する線ばね44の一対のアーム部50が接触し、線ばね44が所定の回動位置（押え方向切換位置P1）に回動するまでは一対のアーム部50の間隔が広がるように線ばね44を弾性変形させ、線ばね44が所定の回動位置（押え方向切換位置P1）を越えて一方向である折畳回動方向F2に回動した状態では一対のアーム部50の間隔が狭まる弾性力により線ばね44を一方向である折畳回動方向F2に向けて回動させるように押えるものである。
【００２９】
押え部材46は、１枚の板ばねを曲げ加工して一体に形成されている。板ばねとしては、例えばステンレス板が用いられる。押え部材46は、取付部60、およびこの取付部60の両側部から折曲され線ばね44の一対のアーム部50が接触する一対の押え部61を有する。
【００３０】
取付部60は、この取付部60上に軸受部材45の取付部54が重ね合わされ、ベースプレート25に対して取付部54と一体にねじ止め固定される。すなわち、押え部材46は、軸受部材45と同一部材である光源ユニット12に設置される。
【００３１】
一対の押え部61は、取付部60の両側部から互いに間隔が狭まるように内側に向けて折曲された立上げ部62、およびこの立上げ部62の上部から互いに間隔が広がるように外側に向けて折曲されたガイド部63を有している。
【００３２】
一対の押え部61（ガイド部63）は、一方向である折畳回動方向F2に回動する線ばね44の一対のアーム部50が所定の回動位置（押え方向切換位置P1）に回動するまでは一対のアーム部50の間隔が広がるようにガイドする拡開ガイド部64、および一方向である折畳回動方向F2に回動する線ばね44の一対のアーム部50が所定の回動位置（押え方向切換位置P1）を越えてからは一対のアーム部50の間隔が狭まるようにガイドする押えガイド部65を有する。拡開ガイド部64と押えガイド部65との間には、一対のアーム部50の間隔が広がるようにガイドするのと一対のアーム部50の間隔が狭まるようにガイドするのとが切り換わる切換り部66が設けられている。この切換り部66の位置は、一方向である折畳回動方向F2に回動する線ばね44の一対のアーム部50の所定の回動位置（押え方向切換位置P1）に対応している。一対の押え部61の拡開ガイド部64間および押えガイド部65間の幅は、一対のアーム部50間の幅よりも広く設けられている。
【００３３】
そして、線ばね44の一対のアーム部50が押え部材46の一対の押え部61の拡開ガイド部64に接触した状態で、線ばね44を折畳回動方向F2に回動させていくと、一対のアーム部50の間隔が広がるように線ばね44が弾性変形するとともに、一対の押え部61の間隔が狭まるように押え部材46が弾性変形する。さらに、折畳回動方向F2に回動させていく線ばね44の一対のアーム部50が所定の回動位置（押え方向切換位置P1）つまり切換り部66を越えて、押え部材46の一対の押え部61の押えガイド部65に接触すると、線ばね44および押え部材46のそれぞれの弾性変形に対する反発力である弾性力により、線ばね44の一対のアーム部50が押え部材46の一対の押え部61の押えガイド部65に沿って折畳回動方向F2に移動し、線ばね44が折畳回動方向F2に回動する回動付勢力が生じる。
【００３４】
ここで、図４を参照して、線ばね44の動きをまとめる。線ばね44は、中立位置P3を境として、線ばね44の弾性変形の反発力により、光源ユニット12の外側に開く展開回動方向F1に向けた回動力A1と、光源ユニット12の内側に折り畳まれる折畳回動方向F2に向けた回動力A2とが生じる。線ばね44は、展開回動方向F1に生じる回動力A1により、中立位置P3からベースプレート25の周辺部に当接する展開自立位置P4に回動して保持される。線ばね44は、折畳回動方向F2に生じる回動力A2により、中立位置P3から押え部材46の拡開ガイド64に当接する折畳自立位置P2に回動して保持される。この線ばね44に生じる展開回動方向F1および折畳回動方向F2の回動力A1、A2は、比較的弱く、線ばね44の自立状態が保てる程度で、例えば光源ユニット12の自重が加われば自立状態が解除される。
【００３５】
さらに、線ばね44は、押え方向切換位置P1を境として、線ばね44の弾性変形の反発力および押え部材46の弾性変形の反発力と拡開ガイド部64および押えガイド部65の傾斜によるガイド作用とにより、押え方向切換位置P1と折畳自立位置P2との間において展開回動方向F1に向けて回動力B1が生じ、押え方向切換位置P1と最大押え位置P5との間において折畳回動方向F2に向けて回動力B2が生じる。この線ばね44に生じる折畳回動方向F2の回動力B2は、比較的強く、光源ユニット12の自重を支えることが可能な強さである。なお、回動力A1、A2と回動力B1、B2の強さは、A1、A2＜B1、B2の関係にある。
【００３６】
また、図３および図８に示すように、取付装置13のばね受41は、１枚の金属板を曲げ加工して一体に形成されている。ばね受41は、取付板部70、この取付板部70の一辺から折曲されたガイド板部71、このガイド板部71から折曲された受板部72、および取付板部70の他辺から折曲されたカバー部73を備えている。さらに、ばね受41は、ガイド板部71に設けられる開口部74および引掛部75を有している。
【００３７】
取付板部70は、器具本体11の下面にねじ止めによって取り付けられる。
【００３８】
ガイド板部71は、取付板部70から下方へ向けて折曲されている。ガイド板部71には、線ばね44のフック部49および一対のアーム部50が挿通される開口部74が形成されている。
【００３９】
受板部72は、ガイド板部71の下端からガイド板部71の外側方へ向けて斜めに突設されている。
【００４０】
カバー部73は、取付板部70から下方へ向けて折曲された後面カバー部76、およびこの後面カバー部76の両側から取付板部70の両側下方に配置されるように折曲された側面カバー部77を有している。そして、カバー部73により、ガイド板部71とともに取付板部70の下方域の周囲を囲み、例えば器具本体11に光源ユニット12を装着し固定する際に器具本体11と光源ユニット12との間に配置されるコネクタ付ケーブルなどが入り込まないようにすると同時に、仮にケーブルを線ばね近傍に巻き込む形で光源ユニット12を装着してしまい、線ばね44の閉じが不十分となり十分な固定ができなかった場合、必ずカバー部73のいずれかの面（後面カバー部76、側面カバー部77）がケーブルを挟み込む状態となり、装着時に不自然な厚みが生じることで異常が検知できるという効果も有している。カバー部73が存在しない場合は、線ばね44にケーブルが干渉して線ばね44の閉じが不十分の場合でも、外観上何も変化がなく検知できない可能性が存在する。
【００４１】
開口部74は、ガイド板部71から取付板部70の一部に亘って連続して開口形成されている。ガイド板部71に形成された開口部74の幅方向の幅は、開口部74の引掛部75が設けられた縁部側である開口部74の下部側が線ばね44の一対のアーム部50間の幅よりも広く、引掛部75が設けられた開口部74の縁部側から反対側の縁部側である開口部74の上部側に向かうに従って狭くなるように略台形状に形成されている。開口部74の上部側の幅は、線ばね44の一対のアーム部50間の幅を幅方向に規制可能とし、例えば一対のアーム部50間の幅と同程度に形成されている。
【００４２】
引掛部75は、ガイド板部71から開口部74に突設され、線ばね44のフック部49を引っ掛け可能とする。引掛部75は、開口部74の取付板部70から離れた縁部である開口部74の下側縁部で開口部74の幅方向の中央に設けられている。引掛部75は、先端側がガイド板部71の内面側に突出するように断面略Ｌ字形に形成されている。
【００４３】
次に、照明装置10の動作を説明する。
【００４４】
図９には、光源ユニット12の線ばね44が中立位置P3にある状態を示す。
【００４５】
そして、線ばね44の一対のアーム部50を中立位置P3から展開回動方向F1に少し回動操作すると、上述したように、線ばね44の弾性力により、展開回動方向F1に向けて回動力A1が生じる。そのため、図１０に示すように、線ばね44が展開回動方向F1に回動し、係合部であるフック部49および一対のアーム部50の先端側が光源ユニット12を構成する板状の第2部材であるベースプレート25の外縁部から外側方に突出するように展開した展開自立位置P4に保持される。
【００４６】
一方、線ばね44の一対のアーム部50を中立位置P3から折畳回動方向F2に少し回動操作すると、上述したように、線ばね44の弾性力により、折畳回動方向F2に向けて回動力A2が生じる。そのため、図１１に示すように、線ばね44が折畳回動方向F2に回動し、フック部49および一対のアーム部50が光源ユニット12の内側に向けて傾き、一対のアーム部50が押え部材46の一対の押え部61（拡開ガイド部64）に接触した折畳自立位置P2に保持される。
【００４７】
また、図１２には、光源ユニット12の線ばね44が装着固定位置（押え方向切換位置P1と最大押え位置P5との間）にある状態を示す。線ばね44は、光源ユニット12上に折り畳まれ、一対のアーム部50が押え部材46の一対の押え部61（押えガイド部65）に接触する。この状態で、上述したように、線ばね44および押え部材46の弾性力により、線ばね44には折畳回動方向F2に向けて回動力B2が生じる。
【００４８】
そして、設置面に設置された器具本体11に対する光源ユニット12の装着固定手順を説明する。
【００４９】
図１３に示すように、光源ユニット12の一側の線ばね44を光源ユニット12の外側方に突出する展開自立位置P4に回動した状態とする。展開自立位置P4の線ばね44は、回動操作しない限り、光源ユニット12を傾けたり回動させたりなどしても、展開自立位置P4に容易に保持されている。なお、光源ユニット12の他側の線ばね44は、展開自立位置P4に回動した状態、折畳自立位置P2に回動した状態のいずれにあってもよい。
【００５０】
光源ユニット12の一側を上方に向け、光源ユニット12の一側に配置されている線ばね44のフック部49および一対のアーム部50の先端側を器具本体11のばね受41の開口部74に挿入し、フック部49を引掛部75に引っ掛ける。このとき、線ばね44は展開自立位置P4に保持されているため、線ばね44を展開状態に手で押えるなどの操作は必要ない。また、線ばね44のフック部49は光源ユニット12を構成する板状の第2部材であるベースプレート25の外縁部から外側方に突出するように展開しているため、光源ユニット12を線ばね44が上方に位置するよう垂直方向に保持するだけで引掛部75に引っ掛けることが可能となり作業性を向上できる。フック部49がベースプレート25の外縁部から外側方に突出していない場合は、光源ユニット12の上方に位置するフック部49を光源ユニット12水平方向に保持しながら引掛部75に引っ掛ける必要があり作業性が悪い。
【００５１】
このとき、図１４に示すように、ばね受41の開口部74は下部側の幅が一対のアーム部50間の幅よりも広いため、フック部49および一対のアーム部50の先端側を器具本体11のばね受41の開口部74に挿入しやすいとともに、フック部49を引掛部75に引っ掛けやすく、操作性がよい。
【００５２】
線ばね44のフック部49をばね受41の引掛部75に引っ掛けた状態で、器具本体11に対して光源ユニット12が片側吊下げ状態となる。この片側吊下げ状態で、電源ユニット21からのコネクタ付ケーブルと光源ユニットからのコネクタ付ケーブルとをコネクタ接続する。
【００５３】
図１５に示すように、光源ユニット12の他側を上方に移動させ、光源ユニット12の他側に配置されている線ばね44のフック部49および一対のアーム部50の先端側をばね受41の開口部74に挿入し、フック部49を引掛部75に引っ掛ける。このときも、ばね受41の開口部74の形状により、フック部49および一対のアーム部50の先端側を器具本体11のばね受41の開口部74に挿入しやすいとともに、フック部49を引掛部75に引っ掛けやすく、操作性がよい。さらに、線ばね44のフック部49をばね受41の開口部74に導く際、線ばね44を折畳自立位置P2に回動させておくことにより、フック部49がばね受41の開口部74に入りやすく、作業性がよい。
【００５４】
光源ユニット12の他側を上方に移動させていったときに、光源ユニット12の一側の線ばね44が中立位置P3を越え、折畳回動方向F2に向けて回動力A2が生じる。そのため、この線ばね44の回動力A2が、器具本体11に対して光源ユニット12の一側を適正位置に移行させるように作用し、光源ユニット12の他側の線ばね44をばね受41に装着しやすくできる。
【００５５】
そして、光源ユニット12の他側の線ばね44のフック部49をばね受41の引掛部75に引っ掛けることにより、光源ユニット12は器具本体11に対して両側吊下げ状態となる。この状態では、光源ユニット12の一側の線ばね44と他側の線ばね44とのバランスがとれ、光源ユニット12は器具本体11と平行な位置の中央に自動的に位置される。このとき、光源ユニット12の一側の線ばね44および他側の線ばね44にはそれぞればね受41に引っ掛かる方向に回動力A2が生じているため、線ばね44を持って持ち上げながらフック部49をばね受41の引掛部75から外さない限り、線ばね44はばね受41から外れないため、光源ユニット12が不用意に脱落することがない。
【００５６】
その後、光源ユニット12を押上げ操作して器具本体11に装着する。このとき、光源ユニット12を一側および他側を平行に押上げ操作して器具本体11に装着してもよいし、光源ユニット12の一側または他側を片側ずつ順に押上げ操作して器具本体11に装着してもよい。  図１６には、光源ユニット12の他側を押上げ操作した光源ユニット12の片側押上げ状態を示す。そして、光源ユニット12の一側の押上げ操作時の動作について図１６ないし図１９にて説明する。
【００５７】
図１６に示すように、光源ユニット12の一側に配置されている線ばね44のフック部49がばね受41の引掛部75に引っ掛けられ、この線ばね44で光源ユニット12の一側が器具本体11に吊り下げられた状態にある。このとき、線ばね44の一対のアーム部50は押え部材46の一対の押え部61（拡開ガイド部64）に接触していない。
【００５８】
光源ユニット12の一側を押し上げていくと、線ばね44の回動力A2によって線ばね44が折畳回動方向F2に回動していく。光源ユニット12の一側を押し上げていく途中で、線ばね44の一対のアーム部50が押え部材46の一対の押え部61（拡開ガイド部64）に接触し、線ばね44の折畳回動方向F2への回動が折畳自立位置P2で一旦止まり、その後は、線ばね44が光源ユニット12の一側とともに押し上げられる。
【００５９】
図１７に示すように、光源ユニット12の一側とともに押し上げられる線ばね44の一対のアーム部50のアームガイド部50aがばね受41の取付板部70の下面に接触し、アームガイド部50aの上昇が規制される。そのため、光源ユニット12の一側をさらに押し上げていくと、線ばね44を折畳回動方向F2に強制的に回動させていくことになる。これにより、凸円弧状のアームガイド部50aがばね受41の取付板部70の下面を摺動しながらばね受41の開口部74に挿通されていく。このように、線ばね44が折畳回動方向F2に回動しながらばね受41側に移動してくことにより、一対のアーム部50のアーム当接部50dがばね受41の受板部72の上方域に移動していく。
【００６０】
このとき、図１８に示すように、一対のアーム部50が開口部74の上部側の幅狭領域に移動し、開口部74の両側縁で一対のアーム50の幅方向の位置が規制される。これにより、線ばね44を介して、器具本体11に対して押し上げていく光源ユニット12の位置を位置決めし、器具本体11に対して光源ユニット12を正しく組み合わせて装着できるようにする。
【００６１】
この一連の動作を行うとき、アームガイド部50aの凸湾曲部分が線ばね44を折畳回動方向F2に誘い込むガイドの役割を担っているが、図１５に示すように光源ユニット12が器具本体11に対して両側吊下げ状態となった際に、アーム部50と光源ユニット12のベースプレート25とのなす角が鋭角となるようにばね受41とばね装置40を配設することにより、アームガイド部50aの凸湾曲部の突出が小さくても十分な誘い込み効果を得ることができ、照明器具全体の厚みを小さくすることができる。
【００６２】
さらに、線ばね44の一対のアーム部50が押え部材46の一対の押え部61の拡開ガイド部64に接触した状態で、光源ユニット12の一側をさらに押し上げ、線ばね44を折畳回動方向F2に回動させていくと、一対のアーム部50の間隔が広がるように線ばね44が弾性変形するとともに、一対の押え部61の間隔が狭まるように押え部材46が弾性変形する。
【００６３】
そして、光源ユニット12の一側をさらに押し上げていくと、折畳回動方向F2に回動させていく線ばね44の一対のアーム部50が所定の回動位置（押え方向切換位置P1）つまり切換り部66を越えて、押え部材46の一対の押え部61の押えガイド部65に接触する。これにより、線ばね44および押え部材46のそれぞれの弾性変形に対する反発力である弾性力により、線ばね44の一対のアーム部50が押え部材46の一対の押え部61の押えガイド部65に沿って折畳回動方向F2に回動するように、線ばね44に折畳回動方向F2に回動する回動力B2が生じる。
【００６４】
そのため、図１９に示すように、線ばね44に作用する回動付勢力により、線ばね44が折畳回動方向F2に回動し、ばね受41の受板部72の上方域に既に移動していた一対のアーム部50のアーム当接部50dがばね受41の受板部72の上面側に当接し、アーム当接部50dと受板部72との接触箇所を支点として光源ユニット12の一側が器具本体11に向けて上方に引き上げられる。これにより、ばね受け41とばね装置40が弾性係合することで器具本体11に光源ユニット12の一側が装着され、器具本体11と光源ユニット12とが装着状態に固定される。なおこの状態において器具本体11と光源ユニット12を固定している固定力は、器具本体11から光源ユニット12を取り外すことが可能でかつ光源ユニットの自重で取り外れないような固定力であれば良い。
【００６５】
なお、光源ユニット12の他側の押上げ操作時の動作についても、このような光源ユニット12の一側の押上げ操作時の動作と同様である。
【００６６】
また、光源ユニット12を器具本体11に装着する操作とは逆の操作を行うことによって、光源ユニット12を器具本体11から取り外すことができる。
【００６７】
この取外し時において、光源ユニット12を器具本体11から引き下げた状態で、光源ユニット12の一側の線ばね44および他側の線ばね44がそれぞればね受41に引っ掛かって止まる。このとき、光源ユニット12の一側の線ばね44および他側の線ばね44にはそれぞればね受41に引っ掛かる方向に回動力A2が生じているため、線ばね44を持って持ち上げながらフック部49をばね受41の引掛部75から外さない限り、線ばね44はばね受41から外れないため、光源ユニット12が不用意に脱落するのを防止できる。
【００６８】
さらに、取外し時において、例えば他側の線ばね44をばね受41から外し、図１３のように一側の線ばね44で光源ユニット12が吊下げられた状態では、線ばね44が展開回動方向F1に回動力A1が生じて展開状態に保持されるため、例えば光源ユニット12を押し上げて線ばね44のフック部49をばね受41から外すことができ、作業性がよい。
【００６９】
このように、本実施形態のばね装置40では、軸受部材46の一対の軸受部57の軸心ａが、一対の軸受部57の相対する端部間を結ぶ仮想中心線ｂに対して同一方向に対称的に傾いているため、仮想中心軸ｂの軸方向から見て一対の軸受部57の軸心ａと線ばね44の一対のアーム部50とが重なる中立位置P3を境として、弾性変形の反発力により回動方向の一方と他方とのそれぞれに向けて回動力が生じさせることができ、簡単な構成で、使い勝手のよいばね装置40を提供できる。
【００７０】
すなわち、軸受部材45に軸受された線ばね44は、仮想中心軸ｂの軸方向から見て一対の軸受部57の軸心ａと線ばね44の一対のアーム部50とが重なる中立位置P3において、一対のアーム部50の間隔が変化するように最も弾性変形した状態にある。さらに、一対の軸受部57によって線ばね44の一対の軸部51が仮想中心軸ｂに対して傾けられる角度は、一対のアーム部50が中立位置P3に位置するときが最も大きく、一対のアーム部50が中立位置P3よりも回動方向の一方または他方に向かって回動するのに従って小さくなっていく。これらにより、一対のアーム部50が中立位置P3よりも回動方向の一方または他方に少しでも回動操作すると、線ばね44の弾性変形に対して元に戻ろうとする反発力である弾性力により、回動方向の一方または他方に向けて回動力A1、A2を生じさせることができる。
【００７１】
この線ばね44および軸受部材45を備えたばね装置40を器具本体11に光源ユニット12を装着する取付構造に用いることにより、作業性のよい照明装置10を提供できる。
【００７２】
また、ばね装置40の押え部材46は、一方向に向けて回動する線ばね44の一対のアーム部50が接触し、線ばね44が所定の回動位置（押え方向切換位置P1）に回動するまでは一対のアーム部50の間隔が広がるように線ばね44を弾性変形させ、線ばね44が所定の回動位置（押え方向切換位置P1）を越えて一方向に回動した状態では一対のアーム部50の間隔が狭まる弾性力により線ばね44を一方向に向けて回動させるように押えることができ、簡単な構成で、使い勝手のよいばね装置40を提供できる。
【００７３】
押え部材46は、板ばねで構成され、線ばね44の一対のアーム部50との接触時に一対の押え部61が弾性変形し、これら一対の押え部61の弾性力も加わって、線ばね44を一方向に向けて回動させるように押えることができる。
【００７４】
一対の押え部61は、一方向に回動する線ばね44の一対のアーム部50が所定の回動位置（押え方向切換位置P1）に回動するまでは一対のアーム部50の間隔が広がるようにガイドする拡開ガイド部64、および一方向に回動する線ばね44の一対のアーム部50が所定の回動位置（押え方向切換位置P1）を越えてからは一対のアーム部50の間隔が狭まるようにガイドする押えガイド部65を有するため、線ばね44を一方向に向けて回動させるように押えることができる。
【００７５】
線ばね44を押える押え部材46が線ばね44を軸受する軸受部材45と同一部材に配置されるため、線ばね44と押え部材46との位置関係が一定となり、ばね装置40の安定した動作が可能となる。
【００７６】
また、取り外しの際は、光源ユニット12の４辺のいずれかのうちどこの辺をつかみ下方へ引き下ろしても係合部材が安定して回動されるので、方向性を気にせず取り外し作業が容易となる。
【００７７】
この押え部材46を備えたばね装置40を器具本体11に光源ユニット12を装着する取付構造に用いることにより、作業性のよい照明装置10を提供できる。
【００７８】
また、ばね受41の開口部74の幅方向の幅は、開口部74の引掛部75が設けられた縁部側である開口部74の下部側が線ばね44の一対のアーム部50間の幅よりも広く、引掛部75が設けられた開口部74の縁部側から反対側の縁部側である開口部74の上部側に向かうに従って狭くなるように形成されているため、線ばね44のフック部49を開口部74に挿通させて引掛部75に引っ掛ける操作を容易に行うことができ、かつ、器具本体11に光源ユニット12を組み合わせて装着する際に、線ばね44の一対のアーム部50が開口部74の上側に移動し、開口部74の両側縁で一対のアーム部50の幅方向の位置を位置決めすることにより、器具本体11に対して光源ユニット12を正しく組み合わせて装着できる。
【００７９】
ガイド板部71から折曲された受板部72に線ばね44のアーム当接部50dが当接することにより、器具本体11と光源ユニット12とを取付状態に保持することができる。
【００８０】
さらに、このばね受41と組み合わされるばね装置12が上述した押え部材46を備えることにより、器具本体11に光源ユニット12を装着する動作に対応して、線ばね44の一対のアーム部50が開口部74の上部側に移動し、開口部74の両側縁で一対のアーム部50の幅方向の位置を位置決めすることにより、器具本体11に対して光源ユニット12を正しく組み合わせて装着できることができるとともに、ガイド板部71から折曲された受板部72に線ばね44のアーム当接部50dが当接することにより、器具本体11と光源ユニット12とを取付状態に保持することができる。
【００８１】
また、照明装置10は、器具本体11の外形よりも光源ユニット12の外形が大きく、例えば天井への設置状態では、器具本体11が隠れ、光源ユニット12の光が出射する透光カバー27のみが見え、意匠性がよい。
【００８２】
器具本体11および光源ユニット12の内側にばね装置40およびばね受41を配置し、器具本体11に光源ユニット12を装着した際に、ばね装置40の線ばね44が光源ユニット12の内側に折り畳まれることにより、このような照明装置10を実現できる。
【００８３】
器具本体11には、取付孔18や配線孔19が設けられているとともに、２つの電源ユニット21および端子台22が取り付けられているが、線ばね44が折り畳まれる構造であるため、ばね装置40をコンパクトに構成でき、器具本体11の限られたスペース内にばね装置40およびばね受41を配置することができる。
【００８４】
なお、線ばね44の一対の軸部51は、一対のアーム部50の内側に向けて折曲されていてもよい。
【００８５】
また、本実施形態では、軸受部材45の一対の軸受部57の軸心ａは、線ばね44の中立位置P3において、線ばね44の一対の軸部51の先端側が一対のアーム部50に近付けさせる方向に傾いているが、逆に、線ばね44の一対の軸部51の先端側が一対のアーム部50に離れる方向に傾いていてもよい。この場合、線ばね44の中立位置P3において、一対のアーム部50の間隔を広がるように線ばね44の全体が弾性変形するため、上述した実施形態と同様の作用効果が得られる。
【００８６】
また、本実施例では、取付装置13として、１つのばね装置40と１つのばね受41とを１組として２組用いた例を示したが、３組以上の取り付け装置13を用いた取付機構を構成しても良い。例えば、３組の取り付け装置13を三角形（正三角形、二等辺三角形など）の位置関係で配設したり、４組の取り付け装置13を四角形（正方形、長方形、ひし形、平行四辺形など）の位置関係で配設したりしても良い。
【００８７】
また、取付装置13のうちのばね受け41と電源ユニット21との位置関係についても実施例に示した位置に限定されるものではない。本実施例の電源ユニット21は天面部15の一方の面で器具本体11の対向する２辺に沿って配設され、ばね受け41は２つの電源ユニット21が配置される位置に対して異なる方向の対向する２辺の位置に配設されている。器具本体11と光源ユニット12とを着脱する際にはばね受け41を中心に上下方向に外力がかり、天面部15がゆがむ可能性があるが、このばね受け41と電源ユニット21の位置関係であれば、補強財のように電源ユニット21が配置されているため、着脱時に天面部15がゆがむことを抑制する効果を有している。このばね受け41と電源ユニット21の位置関係を、例えば、ばね受け41の位置はそのままで、２つの電源ユニット21は１対のばね受け41を結ぶ仮想線と直交する方向に長手方向が位置するように一対のばね装置間の領域に配設してもよい。このばね受け41と電源ユニット21の位置関係であれば、ゆがみ抑制効果を得つつ、一般的に配線が引き出される電源ユニット21の端部とばね装置41を含む取付装置13の距離を離すことができるため、配線の挟み込み抑制の効果も得ることができる。
【００８８】
また、実施例や上記の他の事例では電源の数量が２つの例を示しているが、1つもしくは３つ以上の電源を有していても良いし、電源ユニット21、端子台22を配設するのは器具本体11の天面部15側ではなく、光源ユニット12のベースプレート25側に同様に配設しても良い。
【００８９】
また、ばね装置40および取付装置13は、照明装置10以外にも、第１の部材と第２の部材とを互いに着脱可能に取り付ける取付構造などに適用することができる。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
10    照明装置
11    器具本体
12    光源ユニット
13    取付装置
40    ばね装置
41    ばね受
44    線ばね
45    軸受部材
46    押え部材
49    フック部
50    アーム部
50a   アームガイド部
50d   アーム当接部
51    軸部
70    取付板部
71    ガイド板部
72    受板部
74    開口部
75    引掛部
【図１】
2020053200.tif 000003
【図２】
2020053200.tif 000004
【図３】
2020053200.tif 000005
【図４】
2020053200.tif 000006
【図５】
2020053200.tif 000007
【図６】
2020053200.tif 000008
【図７】
2020053200.tif 000009
【図８】
2020053200.tif 000010
【図９】
2020053200.tif 000011
【図１０】
2020053200.tif 000012
【図１１】
2020053200.tif 000013
【図１２】
2020053200.tif 000014
【図１３】
2020053200.tif 000015
【図１４】
2020053200.tif 000016
【図１５】
2020053200.tif 000017
【図１６】
2020053200.tif 000018
【図１７】
2020053200.tif 000019
【図１８】
2020053200.tif 000020
【図１９】
2020053200.tif 000021